(57)【要約】【課題】この発明は、小型化の促進を図ったうえで、簡便にして容易に印刷配線基板の挿脱作業を実現し得るようにすることにある。【解決手段】複数の印刷配線基板１２が並設されて収容され、複数個が積重されて配置されるユニット本体１１に対して、複数のケーブル係止部１５３を所定の間隔に配したケーブル配線具１５を、その印刷配線基板１２の並設方向回りに回動自在に設けて、このケーブル配線具１５を印刷配線基板１２の挿脱を規制する第１の位置、挿脱を可能とする第２の位置に回動して、選択的に印刷配線基板１２のユニット本体１１からの挿脱を実現するように構成した。【選択図】図１
2008258440.tif 000002
【特許請求の範囲】
【請求項１】
基端側に外部接続端子が設けられた複数の印刷配線基板が並設され、挿脱自在に収容されるユニット本体と、
これら複数個のユニット本体が積重されて配置されるラックと、
前記積重配置されるユニット本体の開口側に、前記印刷配線基板の並設方向に沿って配置され、前記並設方向回りに回動可能とされ、前記一方のユニット本体の印刷配線基板の挿脱を規制する第１の位置、該印刷配線基板の挿脱を可能とする第２の位置に回動されるものであって、前記印刷配線基板の外部接続端子に装着される外部接続ケーブルの中間部を係止する複数のケーブル係止部が前記並設方向に設けられたケーブル配線具と、
を具備することを特徴とする電子機器。
【請求項２】
前記ケーブル配線具には、前記第１の位置から前記第２の位置方向と逆方向への回動を規制する回動転規制部が設けられることを特徴とする請求項１記載の電子機器。
【請求項３】
前記ラックには、前記ケーブル配線具のケーブル係止部に係止されて前記印刷配線基板の外部接続端子に装着された外部接続ケーブルの基端部側を係止する余長部材が設けられることを特徴とすることを特徴とする請求項１又は２記載の電子機器。
【請求項４】
前記ケーブル配線具には、前記第２の位置において、積重配置された他方の電子ユニットの表示確認用の透過窓が設けられることを特徴とする請求項１乃至３のいずれか記載の電子機器。
【請求項５】
前記ケーブル配線具のケーブル係止部は、前記並設方向と直交する軸回りに回動自在に設けられることを特徴とする請求項１乃至４のいずれか記載の電子機器。
【請求項６】
前記外部接続ケーブルは、光ケーブルであることを特徴とする請求項１乃至５のいずれか記載の電子機器。
【発明の詳細な説明】
【技術分野】
【０００１】
この発明は、例えば光ユニットが搭載される通信機等の電子機器に関する。
【背景技術】
【０００２】
一般に、この種の電子機器においては、複数の電子ユニットがラック内に積重状に収容配置され、この電子ユニット内には、複数の印刷配線基板が並設して収容配置されている。この印刷配線基板には、例えば光ユニット等の外部接続ユニットが搭載される。そして、この外部接続ユニットは、印刷配線基板の端部に配される外部接続端子に接続され、この外部接続端子には、外部接続ケーブルが装着されて所望の電子機器システムが構築されている。
【０００３】
ところで、最近、電子機器においては、小型化の要請が強く、上記電子ユニット内に収容配置する印刷配線基板を近接配置することにより、電子ユニットの小型化の促進を図る方法が採られている。このため、このような電子機器にあっては、その電子ユニット内の保守点検時等において、外部接続ケーブルが邪魔となり、印刷配線基板の挿脱作業が非常に面倒なものとなっている。
【０００４】
そこで、電子ユニットの複数の印刷配線基板間にそれぞれケーブル押さえ金具を回動操作自在に配置して、挿脱する印刷配線基板を挟んで配置されたケーブル押さえ金具を選択して回動操作することにより、その外部接続ケーブルを基板から逃げる方向に押し広げて、所望の印刷配線基板の挿脱を行うように構成したものが提案されている（例えば、特許文献１参照。）。
【特許文献１】特開２００２−１００８８８号公報
【発明の開示】
【発明が解決しようとする課題】
【０００５】
しかしながら、上記電子機器では、印刷配線基板毎にケーブル押さえ金具を設けなければならないことにより、構成が複雑となるために、結果として、大型となるという問題を有する。
【０００６】
この発明は、上記の事情に鑑みてなされたもので、構成簡易にして、小型化の促進を図り得、且つ、簡便にして容易に印刷配線基板の挿脱作業を実現し得るようにした電子機器を提供することを目的とする。
【課題を解決するための手段】
【０００７】
この発明は、基端側に外部接続端子が設けられた複数の印刷配線基板が並設され、挿脱自在に収容されるユニット本体と、これら複数個のユニット本体が積重されて配置されるラックと、前記積重配置されるユニット本体の開口側に、前記印刷配線基板の並設方向に沿って配置され、前記並設方向回りに回動可能とされ、前記一方のユニット本体の印刷配線基板の挿脱を規制する第１の位置、該印刷配線基板の挿脱を可能とする第２の位置に回動されるものであって、前記印刷配線基板の外部接続端子に装着される外部接続ケーブルの中間部を係止する複数のケーブル係止部が前記並設方向に設けられたケーブル配線具とを備えて電子機器を構成した。
【０００８】
上記構成によれば、電子ユニットの複数の印刷配線基板は、ケーブル配線具を並設方向回りの第１の位置に回動させると、その外部接続ケーブルがケーブル係止部で係止された状態で、該ケーブル配線具により電子ユニットからの挿脱が防止され、第２の位置に回動させると、該ケーブル配線具が離間され、その外部接続ケーブルを離脱させることにより、電子ユニットからの挿脱が可能となる。
【０００９】
これにより、複数の印刷配線基板を、電子ユニットに近接して並設配置した状態で、そのケーブル配線具を回動させるだけでいずれも挿脱することが可能となり、小型化の促進を図ったうえで、簡便にして容易な挿脱が実現されて、保守点検作業の簡便化を図ることができる。
【発明の効果】
【００１０】
以上述べたように、この発明によれば、構成簡易にして、小型化の促進を図り得、且つ、簡便にして容易に印刷配線基板の挿脱作業を実現し得るようにした電子機器を提供することができる。
【発明を実施するための最良の形態】
【００１１】
以下、この発明の実施の形態について、図面を参照して詳細に説明する。
【００１２】
図１及び図２は、この発明の一実施の形態に係る電子機器の一部を破断して示すもので、図１は、前面から見た状態を示し、図２は、図１のＡ−Ａ矢視を示す。
【００１３】
即ち、機器筐体を構成するラック１０には、電子ユニットを構成する箱状をした複数のユニット本体１１が積重状に収容配置される。このユニット本体１１には、その開口側（挿脱側）の上下端に対を構成する複数の基板案内溝１１１が矢印Ｘ方向（並設方向）（図１参照）に所定の間隔に形成される。この複数の基板案内溝１１１は、並設方向と直交する矢印Ｂ，Ｃ方向（図２参照）に延出して設けられ、上下対で印刷配線基板１２の両端を挿脱自在に案内する。
【００１４】
また、複数の印刷配線基板１２には、例えばその基端側（ユニット本体の開口側に対応）の両端にイジェクタ機構１３がそれぞれ操作自在に設けられ、その両端部がユニット本体１１の基板案内溝１１１に対して矢印Ｂ方向に挿入された状態でイジェクタ機構１３の操作により、ユニット本体１１内に位置決めされる。そして、このイジェクタ機構１３は、反転操作されると、印刷配線基板１２のユニット本体１１からの矢印Ｃ方向への取出しを可能とする。
【００１５】
また、複数の印刷配線基板１２には、その基端側に外部接続端子である光コネクタ１４がそれぞれ配置される。この光コネクタ１４は、印刷配線基板１２に搭載された図示しない光ユニットに接続される。
【００１６】
上記ユニット本体１１には、ケーブル配線具１５が、例えば開口側下端に上記複数の印刷配線基板１２に対応して配置される。このケーブル配線具１５には、図３（ａ）（ｂ）に示すようにその両端に取付部１５１がヒンジ機構１５２を介して矢印Ｙ方向回りに回動自在に設けられている。この取付部１５１は、例えば螺子部材１５６（図１参照）を用いて上記ユニット本体１１の開口側下端に螺着されて着脱自在に取付けられて、ケーブル配線具１５が、上記ヒンジ機構１５２を介してユニット本体１１の下端側において矢印Ｙ方向回りに回動自在に配置される。
【００１７】
これにより、ケーブル配線具１５は、図４に示すようにユニット本体１１の複数の印刷配線基板１１の挿脱を防止する第１の位置（図中実線で示すａ位置）、及びヒンジ機構１５２を介して図４中反時計方向に回動されると、上側のユニット本体１１に収納された複数の印刷配線基板１２の挿脱を可能とする第２の位置（図中二点鎖線で示すｂ位置）に選択的に回動される。また、時計方向に回動されると、下側のユニット本体１１に収納された複数の印刷配線基板１２の挿脱を可能とする第３の位置（図中一点鎖線で示すｃ位置）に選択的に回動される。
【００１８】
また、ケーブル配線具１５には、複数のケーブル係止部１５３が所定の間隔に設けられる。このケーブル係止部１５３は、例えば樹脂材で一部が開放自在な枠状に形成され、その一辺部には、突起部１５４が形成されている。そして、このケーブル係止部１５３の突起部１５４は、上記ケーブル配線具１５に対してその長手方向と直交する軸回りに回動自在に取付けられる。
【００１９】
この複数のケーブル係止部１５３には、上記複数の印刷配線基板１２の光コネクタ１４に接続した光ケーブル１６が選択的に挿通され（図１及び図２参照）、その挿通された光ケーブル１６を所定の自由度を持たせて支持する。そして、この複数のケーブル係止部１５３は、ケーブル配線具１５が上記第１の位置から挿脱可能な第２の位置に回動付勢されると、支持する光ケーブル１６を、案内してユニット本体１１内の印刷配線基板１２の挿脱を可能に整える。
【００２０】
さらに、ケーブル配線具１５には、回動規制部１５５が上記取付部１５１に対向して設けられる。この回動規制部１５５は、ケーブル配線具１５がヒンジ機構１５２を介して上記第１の位置から図４中時計方向に回動されると、取付部１５１に当接してケーブル配線具１５の同方向への回動を規制する（図中一点鎖線で示す位置）。これにより、ケーブル係止部１５３に挿通された光ケーブル１６は、ケーブル配線具１５とユニット本体１１との間に挟まれたりして、損傷されるのが確実に防止される。
【００２１】
また、ケーブル配線具１５には、複数の表示確認用の透過窓１５７が、積重配置される他方のユニット本体１１に対応して設けられる。これにより、ケーブル配線具１５は、その印刷配線基板１２の挿脱が可能な第２の位置においても、上記他方のユニット本体１１に設けられる銘板等の表示部が透過窓１５７を通して確認されることで、安全性の高い挿脱作業を行うことができる。
【００２２】
上記ラック１０には、いわゆるケーブル余長処理用の余長機構を構成する余長部材１７がユニット本体１１の積重方向に沿って配置されている。この余長部材１７には、取付部１７４が設けられ、この取付部１７４が螺子部材１７１を用いてラック１０に着脱自在に取付けられている。この余長部材１７には、複数の余長ケーブル係止部１７２が、光ケーブル１６を所望の曲率を有して巻き付け可能に所望の間隔に配置される（図５及び図６参照）。
【００２３】
余長ケーブル係止部１７２は、例えば樹脂材で弾性変形自在な枠状に形成され、その一辺部には、突起部１７３が形成される。そして、この余長ケーブル係止部１７２の突起部１７３は、上記余長部材１７に対して軸回りに回動自在に取付けられる。これにより、上記ケーブル配線具１５のケーブル係止部１５３に挿通された光ケーブル１６は、余長部材１７の余長ケーブル係止部１７２に巻き回されて余長処理されて図示しない外部機器に接続されることで、ユニット本体１１内の印刷配線基板１２の光コネクタ１４との間における高品質な配線接続が可能となる。
【００２４】
上記構成において、ケーブル配線具１５は、その取付部１５１が複数のユニット本体１１の各開口側の下端に螺子部材１５６を用いて取付けられて、この複数のユニット本体１１がラック１０内に積重状に収容配置される。この積重配置したユニット本体１１には、その対の基板案内溝１１１に印刷配線基板１２が挿入されて収容され、イジェクタ機構１３が操作されて位置決めされると共に、印刷配線基板１１の光コネクタ１４に光ケーブル１６が接続される。
【００２５】
この際、光ケーブル１６は、ケーブル配線具１５のケーブル係止部１５３及び余長部材１７の余長ケーブル係止部１７２に係止されて配線され、システム運用が行われる。このシステム運用状態においては、上記ケーブル配線具１５が、図４中実線で示す第１の位置に回動され、ユニット本体１１内の印刷配線基板１２の挿脱が防止される。
【００２６】
そして、ユニット本体１１の保守点検等のために印刷配線基板１２の抜脱が必要となった場合には、ケーブル配線具１５が、ヒンジ機構１５２を介して図４中に二点鎖線で示す第２の位置に回動され、先ず、挿脱する印刷配線基板１２の光コネクタ１４に接続した光ファイバ１６が取外される。
【００２７】
この状態で、印刷配線基板１２は、そのイジェクタ機構１３が反転操作されて矢印Ｃ方向に抜脱され、基板交換を含む保守点検が行われる。この際、隣接される印刷配線基板１２の光コネクタ１４に接続された光ファイバ１６は、ケーブル配線具１５のケーブル係止部１５２及び余長部材１７の余長ケーブル係止部１７２に対して十分な遊びを有して巻き回し配線されていることにより、印刷配線基板１２のユニット本体１１からの挿脱作業に影響を及ぼすことがない。
【００２８】
また、ケーブル配線具１５は、その第２の位置において、透過窓１５７が下側に配置されたユニット本体１１の銘板等の表示に対向され、該透過窓１５７を通して表示を視認することで、そのユニット本体１１の印刷配線基板１２の収容状態等の確認を行うことができる。
【００２９】
このように、上記電子機器は、複数の印刷配線基板１２が並設されて収容され、複数個が積重されて配置されるユニット本体１１に対して、複数のケーブル係止部１５３を所定の間隔に配したケーブル配線具１５を、その印刷配線基板１２の並設方向回りに回動自在に設けて、このケーブル配線具１５を印刷配線基板１２の挿脱を規制する第１の位置、挿脱を可能とする第２の位置に回動して、選択的に印刷配線基板１２のユニット本体１１からの挿脱を実現するように構成した。
【００３０】
これによれば、ユニット本体１１の複数の印刷配線基板１２は、ケーブル配線具１５を第１の位置に回動させると、その光ケーブル１６がケーブル係止部１５３で係止された状態で、該ケーブル配線具１５によりユニット本体１１からの挿脱が防止され、第２の位置に回動させると、該ケーブル配線具１５が離間されてユニット本体１１からの挿脱が可能となる。
【００３１】
これにより、複数の印刷配線基板１２を、ユニット本体１１に近接して並設配置した状態で、そのケーブル配線具１５を回動させるだけでいずれも挿脱することが可能となり、小型化の促進を図ったうえで、簡便にして容易な印刷配線基板１２の挿脱が実現されて、保守点検作業の簡便化を図ることができる。
【００３２】
なお、上記実施の形態では、ユニット本体１１に並設して収容される複数の印刷配線基板１２に外部接続端子として光コネクタ１４を配した電子機器システムに適用した場合について説明したが、これに限ることなく、その他、外部接続端子として電気コネクタを配する電子機器システムにおいても適用可能で、同様に有効な効果が期待される。
【００３３】
また、上記実施の形態では、ケーブル配線具１５をユニット本体１１の開口側の下端に配するように構成した場合について説明したが、これに限ることなく、その他、ユニット本体の上端側に配置するように構成することも可能である。
【００３４】
さらに、上記実施の形態では、ユニット本体１１をラック１０に積重配置するユニット構造に適用した場合について説明したが、これに限ることなく、その他のユニット構造においても適用可能で、同様に有効な効果が期待される。
【００３５】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３６】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３７】
【図１】この発明の一実施の形態に係る電子機器の一部を破断して挿脱側から見た状態を示した図である。
【図２】図１のＡ−Ａ矢視を示した図である。
【図３】図１のケーブル配線具を取出して示したもので、（ａ）は、上面側から見た状態を示した図で、（ｂ）は、前面側から見た状態を示した図である。
【図４】図1のケーブル配線具の動作状態を示した図である。
【図５】図１の余長部材を上面側から見た状態を示した図である。
【図６】図１の余長部材を前面側から見た状態を示した図である。
【符号の説明】
【００３８】
１０…ラック、１１…ユニット本体、１１１…基板案内溝、１２…印刷配線基板、１３…イジェクタ機構、１４…光コネクタ、１５…ケーブル配線具、１５１…取付部、１５２…ヒンジ機構、１５３…ケーブル係止部、１５４…突起部、１５５…回動規制部、１５６…螺子部材、１５７…透過窓、１６…光ケーブル、１７…余長部材、１７１…螺子部材、１７２…余長ケーブル係止部、１７３…突起部、１７４…取付部。
【図１】
2008258440.tif 000003
【図２】
2008258440.tif 000004
【図３】
2008258440.tif 000005
【図４】
2008258440.tif 000006
【図５】
2008258440.tif 000007
【図６】
2008258440.tif 000008